(57)【要約】【課題】ホールドアユニットの取付けにあたって高さ方向または横方向の取付け位置に変更が生じた場合でも、外装パネルに対して現地加工作業を行なうことなく外装パネルの取付けができるようにすること。【解決手段】複数個の昇降路ユニットを積み重ねて構成され、少なくとも建物の床面に設置される昇降路ユニット１０にホールドアユニット１３を組み込み、このホールドアユニット１３の上部に外装パネル１４を取付ける。ホールドアユニット１３の上部には、外装パネル１４の下端部の差し込みが可能な溝１３ａを予め設けておき、この溝１３ａに外装パネル１４の下端部を差し込むことにより、外装パネル１４の高さ方向の位置を調整できるようになっている。【選択図】  図２
2005047637.tif 000002
【特許請求の範囲】
【請求項１】
複数個の昇降路ユニットを積み重ねて構成され、少なくとも建物の床面に設置される昇降路ユニットにホールドアユニットを組み込み、このホールドアユニットの上部に外装パネルを取付けるユニット式エレベータの外装パネル取付け方法において、前記ホールドアユニットの上部に、前記外装パネルの差し込みが可能な溝を予め設けておき、この溝に前記外装パネルの下端部を差し込むことにより、前記外装パネルの高さ方向の位置を調整することを特徴とするユニット式エレベータの外装パネル取付け方法。
【請求項２】
複数個の昇降路ユニットを積み重ねて構成され、少なくとも建物の床面に設置される昇降路ユニットにホールドアユニットを組み込み、このホールドアユニットの横方向両側部に外装パネルを取付けるユニット式エレベータの外装パネル取付け方法において、前記ホールドアユニットの両側部に、前記外装パネルの差し込みが可能な溝を予め設けておき、この溝に前記外装パネルの側端部を差し込むことにより、前記外装パネルの横方向の位置を調整することを特徴とするユニット式エレベータの外装パネル取付け方法。
【請求項３】
前記外装パネルを前記ホールドアユニットに直接固定することを特徴とする請求項１または２に記載のユニット式エレベータの外装パネル取付け方法。
【請求項４】
複数個の昇降路ユニットを積み重ねて構成され、少なくとも建物の床面に設置される昇降路ユニットにホールドアユニットを組み込み、このホールドアユニットの上部または横方向両側部に外装パネルを取付けるユニット式エレベータの外装パネル取付け方法において、前記ホールドアユニットの上部または両側部と前記外装パネルとを並設方向に沿って移動可能に構成して連結固定することを特徴とするユニット式エレベータの外装パネル取付け方法。
【発明の詳細な説明】
【０００１】
【発明の属する技術分野】
本発明は、ユニット式エレベータにおける昇降路ユニットの外装パネル取付け方法に関する。
【０００２】
【従来の技術】
駅舎用エレベータや住宅用エレベータでは、既存の施設を利用している状態でエレベータを設置することから、複数個の昇降路ユニットを積み重ねて構成する、工期の短いユニット式エレベータが採用されることが多い。このユニット式エレベータは、下部昇降路ユニットや中間昇降路ユニット、上部昇降路ユニットなどを順次建物の床面から積み重ねて構成するものであり、各昇降路ユニットは、ユニット枠内にエレベータの主要機器を組み込んだり、積み重ねた後にユニット枠に外装パネルを取付けたりする。
【０００３】
図７および図８は従来のユニット式エレベータにおける組立て時の状態を示す断面図である。図７は下部昇降路ユニットの組立て時の状態を示し、建物１の床面１ａにユニット枠下部２ａを落とし込んで下部昇降路ユニット２を設置し、この下部昇降路ユニット２のユニット枠下部２ａ上にホールドアユニット３を取付け、このホールドアユニット３の上部に外装パネル４を取付けるようにしている。
【０００４】
ここで、外装パネル４をホールドアユニット３の上部に取付ける際には、ホールドアユニット３の上端と外装パネル４の下端とを当接させて外装パネル４をホールドアユニット３のユニット枠上部２ｂに設けた外装パネル固定部にビス５により固定していた。
【０００５】
ところで、図８（ａ）に示すように、建物１の床面１ａとユニット枠下部２ａの高さが当初の計画と異なっていた場合などは、ホールドアユニット３の取付け位置を建物１の床面１ａに合わせるため、シム６をユニット枠下部２ａとホールドアユニット３の下部との間に挿入して高さ方向の寸法調整を行なうようにしている。このようにしてホールドアユニット３の高さ方向の位置調整が行なわれると、ホールドアユニット３の上端と外装パネル４の下端との間に干渉が生じるため、外装パネル４の下端をホールドアユニット３の上端に当接させるために、図８（ｂ）に示すように外装パネル４の下端部４ａを現地加工で切り落とすことが行なわれる。
【０００６】
【発明が解決しようとする課題】
上述のように、建物１の床面１ａと昇降路ユニット２の設置位置が当初の計画と異なっていたなどの何らかの理由により、ホールドアユニット３の取付け位置を高さ方向で変更する必要が生じた場合には、ホールドアユニット３の上部と外装パネル４の下端との干渉を除くため、外装パネル４の下端部を切り落とすという現地加工作業が生じる問題があった。
【０００７】
本発明は、上述の問題点を解決するためになされたもので、ホールドアユニットの取付けにあたって高さ方向または横方向の取付け位置に変更が生じた場合でも、外装パネルに対して現地加工作業を行なうことなく外装パネルの取付けができるユニット式エレベータの外装パネル取付け方法を提供することを目的とする。
【０００８】
【課題を解決するための手段】
上記目的を達成するため本発明は、複数個の昇降路ユニットを積み重ねて構成され、少なくとも建物の床面に設置される昇降路ユニットにホールドアユニットを組み込み、このホールドアユニットの上部に外装パネルを取付けるユニット式エレベータの外装パネル取付け方法において、ホールドアユニットの上部に、外装パネルの差し込みが可能な溝を予め設けておき、この溝に外装パネルを差し込むことにより、外装パネルの高さ方向の位置を調整することを特徴とする。
【０００９】
このようにすれば、建物の床面に合わせてホールドアユニットの取付け位置に高さ方向の変更があっても、ホールドアユニットの上部に形成した溝に外装パネルの下端部を差し込むことにより高さ方向の寸法変化を吸収させることができる。
【００１０】
また本発明は、複数個の昇降路ユニットを積み重ねて構成され、少なくとも建物の床に設置される昇降路ユニットにホールドアユニットを組み込み、このホールドアユニットの横方向両側部に外装パネルを取付けるユニット式エレベータの外装パネル取付け方法において、ホールドアユニットの両側部に、外装パネルの差し込みが可能な溝を予め設けておき、この溝に外装パネルを差し込むことにより、外装パネルの横方向の位置を調整することを特徴とする。
【００１１】
このようにすれば、ホールドアユニットの取付け位置に横方向の変更があっても、ホールドアユニットの両側部に形成した溝に外装パネルの側端部を差し込むことにより横方向の寸法変化を吸収させることができる。
【００１２】
なお、外装パネルは、ホールドアユニットに直接固定することができる。
【００１３】
さらに本発明は、複数個の昇降路ユニットを積み重ねて構成され、少なくとも建物の床面に設置される昇降路ユニットにホールドアユニットを組み込み、このホールドアユニットの上部または横方向両側部に外装パネルを取付けるユニット式エレベータの外装パネル取付け方法において、ホールドアユニットの上部または両側部と外装パネルとを並設方向に沿って移動可能に構成して連結固定することを特徴とする。
【００１４】
このようにしても、ホールドアユニットの取付け位置に高さ方向または横方向の変更があっても、ホールドアユニットと外装パネルを並設方向に移動させて連結することにより高さ方向または横方向の寸法変化を吸収させることができる。
【００１５】
【発明の実施の形態】
以下、本発明の実施の形態について図面を参照して説明する。図１はユニット式エレベータを示す斜視図、図２は本発明の第１実施の形態によるユニット式エレベータの組立て時の状態を示す断面図、図３は図２に示す本発明の第１実施の形態で使用されるホールドアユニットを示す斜視図である。
【００１６】
図１に示すように、ユニット式エレベータは、下部昇降路ユニット１０、中間部昇降路ユニット１１および上部昇降路ユニット（図示せず）を積み重ねて構成される。各昇降路ユニット１０，１１は、鉄骨からなる矩形のユニット枠にガイドレールなどのエレベータ主要機器を組み込んだ状態で構成され、積み重ねられた後、側面に外装パネル４，１４，１５が取付けられる。
【００１７】
下部昇降路ユニット１０は、図２に示すように、建物の床面１ａにユニット枠下部１０ａを落とし込むようにして設置され、この下部昇降路ユニット１０のユニット枠下部１０ａ上にホールドアユニット１３が取付けられる。このホールドアユニット１３は、図３に示すように、上部に後述する外装パネルの下端部の差し込みが可能な溝１３ａが形成されている。このホールドアユニット１３を下部昇降路ユニット１０のユニット枠下部１０ａ上に取付けるにあたって、ユニット枠下部１０ａと床面１ａとの間に段差が生じている場合には、シム６を挿入し、このシム６上にホールドアユニット１３を設置するようにする。
【００１８】
そしてホールドアユニット１３の設置後、ホールドアユニット１３の上部に形成した溝１３ａに外装パネル１４の下端部を差し込み、外装パネル１４をユニット枠上部１０ｂの外装パネル固定部にビス５により固定することにより、ホールドアユニット１３の上部に外装パネル１４を取付ける。
【００１９】
このようにすれば、建物の床面１ａに合わせてホールドアユニット１３の取付け位置に高さ方向の変更があっても、ホールドアユニット１３の上部に形成した溝１３ａに外装パネル１４の下端部を差し込むことにより高さ方向の寸法変化を吸収させることができる。これにより、ホールドアユニット１３の上端と、外装パネル１４の下端との干渉を防ぐことができ、外装パネル１４の下端部を切り落とすという現地加工作業をなくすことができ、外装パネル１４の取付けにかかる作業時間を短縮することができる。
【００２０】
図４は本発明の第２実施の形態で使用されるホールドアユニットを示す斜視図である。本実施の形態では、ホールドアユニット１３の両側部にも、外装パネルの差し込みが可能な溝１３ｂを予め設けておき、この溝１３ｂに外装パネルの側端部を差し込むことにより、外装パネルの横方向の位置を調整できるようにしたものである。すなわち、図１に示すように下部昇降路ユニット１０に取付けるホールドアユニット１３の取付け位置が当初の計画に対し、横方向に変更が生じた場合には、ホールドアユニット１３の両側部とユニット枠側部１０ｃとの間に取付けられる外装パネル１５に干渉が生じ、この場合も外装パネル１５の端部を切り落とす現地加工作業が必要となるが、本実施の形態のように、ホールドアユニット１３の両側部の溝１３ｂに外装パネル１５の側端部を差し込むように組立てて横方向の寸法を吸収させることにより、外装パネル１５の端部を切り落とす現地加工作業をなくすことができる。
【００２１】
図５は本発明の第３実施の形態によるユニット式エレベータの組立て時の状態を示す断面図である。本実施の形態では、外装パネル１４の固定をユニット枠上部１０ｂに代えてホールドアユニット１３の上部に直接固定するようにしたものである。図２に示す第１実施の形態では、外装パネル１４の固定は、ユニット枠上部１０ｂにビス５で固定するが、本実施の形態では、図５に示すようにホールドアユニット１３の上部に固定部１３ｃを設け、この固定部１３ｃに外装パネル１４をビス５により固定することにより、部品点数を削減し、かつ、ホールドアユニット１３の上端とユニット枠上部との干渉を防ぐことができる。
【００２２】
図６は本発明の第４実施の形態によるユニット式エレベータの組立て時の状態を示す断面図である。本実施の形態では、ホールドアユニット１３の上部または両側部と外装パネル１４とを並設方向に沿って移動可能に構成して連結固定するようにしたものである。図６に示すように、ホールドアユニット１３の上端に調整用外装パネル１３ｄを設けておき、この調整用外装パネル１３ｄと外装パネル１４の下端部とを、これらが並ぶ方向である高さ方向に沿って摺動できるように重ね合わせ、その重ね合わせ部をユニット枠上部１０ｂにビス５により固定するようにしたものである。
【００２３】
このようにしても、ホールドアユニット１３の上端固定部１３ｄと外装パネル１４の下端部との重なりにより高さ方向の寸法変化を吸収することができるので、ホールドアユニット１３の上端と、外装パネル１４の下端との干渉を防ぐことができ、外装パネル１４の下端部を切り落とすという現地加工作業をなくすことができる。
【００２４】
なお、上記実施の形態では、高さ方向に並ぶホールドアユニット１３と外装パネル１４の場合について説明したが、横方向に並ぶホールドアユニット１３と外装パネル１５の場合についても同様に構成することができる。
【００２５】
【発明の効果】
以上説明したように本発明によるユニット式エレベータの外装パネル取付け方法によれば、ホールドアユニットの上部または両側部に、外装パネルの取付け位置を調整できる手段を設けたことにより、ホールドアユニットの取付けにあたって高さ方向または横方向の取付け位置に変更が生じた場合でも、外装パネルに対して現地加工作業を行なうことなく外装パネルの取付けができる。
【図面の簡単な説明】
【図１】ユニット式エレベータを示す斜視図である。
【図２】本発明の第１実施の形態によるユニット式エレベータの組立て時の状態を示す断面図である。
【図３】図２に示す本発明の第１実施の形態で使用されるホールドアユニットを示す斜視図である。
【図４】本発明の第２実施の形態で使用されるホールドアユニットを示す斜視図である。
【図５】本発明の第３実施の形態によるユニット式エレベータの組立て時の状態を示す断面図である。
【図６】本発明の第４実施の形態によるユニット式エレベータの組立て時の状態を示す断面図である。
【図７】従来のユニット式エレベータにおける組立て時の状態を示す断面図である。
【図８】（ａ）は従来のユニット式エレベータにおける組立て時の状態を示す断面図、（ｂ）は（ａ）で使用される外装パネルを示す断面図である。
【符号の説明】
１…建物
１ａ…床面
２…昇降路ユニット
２ａ…ユニット枠下部
２ｂ…ユニット枠上部
３，１３…ホールドアユニット
４，１４，１５…外装パネル
５…ビス
６…シム
１０…下部昇降路ユニット
１０ａ…ユニット枠下部
１０ｂ…ユニット枠上部
１０ｃ…ユニット枠側部
１１…中間部昇降路ユニット
１３ａ，１３ｂ…溝
１３ｃ…固定部
１３ｄ…調整用外装パネル
【図１】
2005047637.tif 000003
【図２】
2005047637.tif 000004
【図３】
2005047637.tif 000005
【図４】
2005047637.tif 000006
【図５】
2005047637.tif 000007
【図６】
2005047637.tif 000008
【図７】
2005047637.tif 000009
【図８】
2005047637.tif 000010